(57)【要約】【課題】  利用側熱交換器の冷媒蒸発温度を高めることにより空気調和装置の運転を安定させる。【解決手段】  利用側熱交換器２１を有する空気調和機本体１３Ａと、全熱交換素子５３を有する換気装置本体５０Ａとを一体化し、各本体の吹出し口を夫々独立させ、内気を利用側熱交換器２１に導いて空気調和機本体１３Ａの吹出し口７４を介して室内に導く内気循環風路４６を備えるとともに、全熱交換素子５３により熱交換した外気を換気装置本体５０Ａの吹出し口６７を介して室内に導く外気導入風路５４Ｂを備え、外気導入風路５４Ｂと内気循環風路４６との間にダンパ６８を設け、利用側熱交換器２１における冷媒の蒸発温度が予め定めた所定温度を下回る場合、ダンパ６８を開く制御装置を備えた。【選択図】      図３
2006002953.tif 000002
【特許請求の範囲】
【請求項１】
利用側熱交換器を有する空気調和機本体と、全熱交換素子を有する換気装置本体とを一体化し、各本体の吹出し口を夫々独立させ、内気を前記利用側熱交換器に導いて前記空気調和機本体の吹出し口を介して室内に導く内気循環風路を備えるとともに、前記全熱交換素子により熱交換した外気を前記換気装置本体の吹出し口を介して室内に導く外気導入風路を備え、
前記外気導入風路と前記内気循環風路との間にダンパを設け、
前記利用側熱交換器における冷媒の蒸発温度が予め定めた所定温度を下回る場合、前記ダンパを開く制御手段を備えたことを特徴とする空気調和装置。
【請求項２】
請求項１に記載の空気調和装置において、
前記ダンパは、開いた状態のときに前記換気装置本体の吹出し口を閉塞することを特徴とする空気調和装置。
【請求項３】
請求項１又は請求項２に記載の空気調和装置において、
前記ダンパは、前記利用側熱交換器の近傍に設けられていることを特徴とする空気調和装置。
【請求項４】
請求項１乃至請求項３のいずれか一項に記載の空気調和装置において、
前記ダンパは、前記利用側熱交換器の幅方向に亘って延びるように形成されていることを特徴とする空気調和装置。
【発明の詳細な説明】
【技術分野】
【０００１】
全熱交換素子を備えた空気調和装置に関する。
【背景技術】
【０００２】
一般に、圧縮機、熱源側熱交換器、及び利用側熱交換器を備えた空気調和装置が知られている。この空気調和装置の運転は、例えば室内を締め切った状態で行われる。このように室内を締め切った状態が長時間に亘ると、室内の空気が汚れてくるので、室外の新鮮な空気を室内に取り入れる換気を行う空気調和装置がある。また、このような換気を行う際に、室内の温度をあまり変動させないのが望ましい。従って、上記の空気調和装置において、室内の換気の際に、室外に排出する内気と室内に供給する外気との間で熱交換させる全熱交換素子を備えたものがある（例えば、特許文献１参照）。
【０００３】
また、上記空気調和装置において、氷蓄熱槽内に蓄熱コイルを備え、氷蓄熱槽に氷を生成する製氷運転を可能としたものが知られている。この種の空気調和装置では、例えば、夏場において、夜間等に製氷運転を行い、昼間等に熱源側熱交換器からの液冷媒を、蓄熱槽内の蓄熱コイルへ供給させて過冷却状態とし、この過冷却状態の液冷媒を利用側熱交換器へ供給して室内を冷房する解氷冷房運転を行うものである。
【特許文献１】特開２００１−２３５２００号公報
【発明の開示】
【発明が解決しようとする課題】
【０００４】
しかしながら、上記空気調和装置では、冷房運転時に室内の熱負荷が低いと、利用側熱交換器の蒸発温度が低くなってしまうことがあるため、利用側熱交換器が凍結しやすくなってしまう。従って、利用側熱交換器が凍結しそうになった場合には、圧縮機を停止させ、冷媒回路内を均圧させる制御を行うことで利用側熱交換器の凍結防止を図っていたが、圧縮機の再起動に時間を要したり、圧縮機の発停を繰り返すことになるなど、空気調和装置の運転動作が不安定になってしまうという問題があった。
【０００５】
また、上記解氷冷房運転時に室内の熱負荷が低いと、利用側熱交換器の蒸発温度が低くなってしまうことがあるため、氷蓄熱槽内に氷が解氷しきれずに残ってしまうことがあった。このように氷蓄熱槽内に氷が残ってしまう場合、蓄熱コイルに付着する氷が互いに接触し結合するブリッジング現象が生じて蓄熱コイルが変形し、冷媒の圧損が増大してしまうなど、空気調和装置の運転動作が不安定になってしまうという問題があった。
【０００６】
そこで、本発明の目的は、上述した従来の技術が有する課題を解消し、利用側熱交換器の冷媒蒸発温度を高めて安定した運転を行うことができる空気調和装置を提供することにある。
【課題を解決するための手段】
【０００７】
上記課題を解決するため、本発明は、利用側熱交換器を有する空気調和機本体と、全熱交換素子を有する換気装置本体とを一体化し、各本体の吹出し口を夫々独立させ、内気を前記利用側熱交換器に導いて前記空気調和機本体の吹出し口を介して室内に導く内気循環風路を備えるとともに、前記全熱交換素子により熱交換した外気を前記換気装置本体の吹出し口を介して室内に導く外気導入風路を備え、前記外気導入風路と前記内気循環風路との間にダンパを設け、前記利用側熱交換器における冷媒の蒸発温度が予め定めた所定温度を下回る場合、前記ダンパを開く制御手段を備えたことを特徴とするものである。
【０００８】
この空気調和装置において、前記ダンパは、開いた状態のときに前記換気装置本体の吹出し口を閉塞してもよい。
【０００９】
また、上記空気調和装置において、前記ダンパは、前記利用側熱交換器の近傍に設けられていてもよい。
【００１０】
更に、上記空気調和装置において、前記ダンパは、前記利用側熱交換器の幅方向に亘って延びるように形成されていてもよい。
【発明の効果】
【００１１】
本発明の空気調和装置によれば、利用側熱交換器の冷媒蒸発温度を高めて安定した運転を行うことができる。
【発明を実施するための最良の形態】
【００１２】
以下、本発明の実施形態について図面を参照して説明する。
【００１３】
図１は、本発明に係る空気調和装置の一実施形態が適用された氷蓄熱ユニットを備えた空気調和装置１０を示す管路図である。また、図２は空気調和装置１０の利用側ユニット１３を下から見た斜視図である。また、図３は、空気調和装置１０の利用側ユニット１３を示す断面図である。
【００１４】
空気調和装置１０は、図１に示すように、熱源側ユニット１１、蓄熱ユニットとしての氷蓄熱ユニット１２及び利用側ユニット１３を有して構成される。熱源側ユニット１１の冷媒配管１４と、利用側ユニット１３の冷媒配管３０を接続する冷媒配管１５Ａ及び１５Ｂとが、氷蓄熱ユニット１２の冷媒配管１６，１７により接続される。冷媒配管１５Ａが冷媒配管１６に、冷媒配管１５Ｂが冷媒配管１７に接続される。
【００１５】
熱源側ユニット１１及び氷蓄熱ユニット１２は、例えば、室外に設置され、利用側ユニット１３は、被空調室である室内に設置される。
【００１６】
熱源側ユニット１１は、容量可変型の圧縮機１８と、アキュムレータ１９と、四方弁２０と、熱源側熱交換器２１と、電動膨張弁（減圧器）２２と、レシーバタンク２３とを備え、冷媒配管１４に圧縮機１８が配設され、この圧縮機１８の吸込側にアキュムレータ１９が、吐出側に四方弁２０がそれぞれ配設され、この四方弁２０に熱源側熱交換器２１、電動膨張弁２２及びレシーバタンク２３が冷媒配管１４を介して順次接続される。更に、熱源側ユニット１１は、熱源側熱交換器２１に送風する熱源側送風機２４を備えている。
【００１７】
利用側ユニット１３は、利用側熱交換器２５及び電動膨張弁（減圧器）２６を備え、冷媒配管３０に利用側熱交換器２５が配設され、この冷媒配管３０において利用側熱交換器２５近傍に電動膨張弁２６が配設されて構成される。この電動膨張弁２６は、空調負荷に応じて開度が調整される。更に、利用側ユニット１３は、利用側熱交換器２５に送風する利用側送風機２７を備えており、空気が利用側熱交換器２５で冷媒と熱交換した後に、被調和室に吹出される。また、利用側ユニット１３は、室内の換気を行う換気装置５０を備えている。この換気装置５０は、空調用の各種機器２５、２６、２７等が収められる利用側ユニット１３の筐体内に一体に収められている。
【００１８】
上記氷蓄熱ユニット１２は、蓄熱コイル３５を収容した蓄熱槽としての氷蓄熱槽３６を備えるとともに、冷媒配管１６にレシーバタンク３７、電動膨張弁３８及び第１電磁弁４１が、熱源側ユニット１１側から利用側ユニット１３へ向かい順次配設される。また、冷媒配管１６には、電動膨張弁３８と第１電磁弁４１との間に、接続配管３９を介して蓄熱コイル３５の一端が接続される。蓄熱コイル３５の他端は、接続配管４０を介して氷蓄熱ユニット１２の冷媒配管１７に接続され、この接続配管４０に第２電磁弁４２が配設される。更に、冷媒配管１６には、レシーバタンク３７と電動膨張弁３８との間に、第３電磁弁４３を備えた接続配管４４の一端が接続される。この接続配管４４の他端は、接続配管４０における第２電磁弁４２と蓄熱コイル３５との間に接続される。
【００１９】
上記氷蓄熱槽３６内には二次媒体としての水が充填され、蓄熱コイル３５は水没状態で配設される。空気調和装置１０の製氷運転時には、蓄熱コイル３５内に、熱源側熱交換器２１からの一次媒体としての液冷媒が流入して蒸発し、これにより、蓄熱コイル３５の外周に氷が付着して形成されて、この氷に冷熱が蓄熱される。空気調和装置１０の解氷冷房運転時には、蓄熱コイル３５内に、熱源側熱交換器２１からの液冷媒が満杯状態で流入し、この液冷媒は、蓄熱コイル３５外周に付着した氷を融解し、この氷の冷熱により過冷却状態となる。
【００２０】
熱源側ユニット１１には、空気調和装置１０全体の運転制御を行う制御手段としての制御装置４５が設けられている。ここで、この制御装置４５は、氷蓄熱ユニット１２或いは利用側ユニット１３に設けられる場合であってもよいし、これらユニット１１，１２，１３とは別体（例えば、リモートコントローラ）に設けられてもよい。
【００２１】
次に、空気調和装置１０の製氷運転について詳細に説明する。
【００２２】
図１に示す空気調和装置１０の製氷運転は、例えば、夜間１０時から翌朝８時までの時間帯に、熱源側ユニット１１における熱源側熱交換器２１からの冷媒を氷蓄熱ユニット１２における氷蓄熱槽３６内の蓄熱コイル３５へ供給し、氷蓄熱槽３６内に氷を作る運転である。
【００２３】
この場合には、氷蓄熱ユニット１２において、第１電磁弁４１及び第３電磁弁４３が閉弁され、電動膨張弁３８及び第２電磁弁４２が開弁操作される。また、利用側ユニット１３の電動膨張弁２６が閉弁される。この状態で、圧縮機１８から吐出されたガス冷媒は、熱源側熱交換器２１にて凝縮され、電動膨張弁２２並びに氷蓄熱ユニット１２の電動膨張弁３８を経て減圧され、氷蓄熱槽３６内の蓄熱コイル３５へ流入する。この蓄熱コイル３５内に流入した冷媒は蒸発されて、蓄熱コイル３５の外周に氷が形成される。その後、蓄熱コイル３５内のガス冷媒は、接続配管４０及び第２電磁弁４２並びに冷媒配管１７を経て四方弁２０へ至り、アキュムレータ１９を経て圧縮機１８に戻される。この製氷運転によって氷蓄熱槽３６内に氷が形成され、この氷の冷熱が、解氷冷房運転に利用される。
【００２４】
次に、空気調和装置１０の解氷冷房運転について詳細に説明する。
【００２５】
空気調和装置１０の解氷冷房運転は、例えば、昼間、気温が上昇する時間帯に、熱源側ユニット１１における熱源側熱交換器２１からの液冷媒を、氷蓄熱ユニット１２における氷蓄熱槽３６内の蓄熱コイル３５へ供給させて過冷却状態とし、この過冷却状態の液冷媒を利用側ユニット１３の利用側熱交換器２５へ供給して実施される。
【００２６】
この場合には、氷蓄熱ユニット１２において、第２電磁弁４２が閉弁され、第１電磁弁４１及び第３電磁弁４３が開弁され、電動膨張弁３８の開度が調整される。また、利用側ユニット１３の電動膨張弁２６の開度が調整される。
【００２７】
この圧縮機１８から吐出されたガス冷媒は、熱源側熱交換器２１にて凝縮され、電動膨張弁２２並びに氷蓄熱ユニット１２の冷媒配管１６、接続配管４４及び第３電磁弁４３を経て氷蓄熱槽３６内の蓄熱コイル３５へ流入する。この蓄熱コイル３５内に流入した液冷媒は、蓄熱コイル３５内を満杯状態で流れ、蓄熱コイル３５の外周に付着した氷を解氷し、この氷に蓄熱された冷熱により過冷却状態となる。その後、蓄熱コイル３５内の過冷却状態の液冷媒は、接続配管３９、第１電磁弁４１及び冷媒配管１６、並びに利用側ユニット１３の冷媒配管１５Ａ及び電動膨張弁２６を経て利用側熱交換器２５へ流入し、この利用側熱交換器２５により蒸発して室内を冷房する。その後、ガス冷媒は、冷媒配管３０及び冷媒配管１５Ｂを通り、氷蓄熱ユニット１２の冷媒配管１７を経て、四方弁２０及びアキュムレータ１９を経た後、圧縮機１８へ戻される。
【００２８】
従って、この解氷冷房運転時では、前述の製氷運転で氷蓄熱槽３６内の氷の冷熱を利用し、氷蓄熱槽３６の蓄熱コイル３５内で液冷媒を過冷却状態として利用側熱交換器２５へ供給するので、この利用側熱交換器２５における冷房運転の効率を向上させることができる。
【００２９】
次に、空気調和装置１０の通常冷房運転について説明する。
【００３０】
空気調和装置１０における通常冷房運転は、氷蓄熱ユニット１２における氷蓄熱槽３６内の氷に蓄熱された冷熱を利用しないで実施される冷房運転であり、第２電磁弁４２及び第３電磁弁４３が閉弁され、電動膨張弁３８及び第１電磁弁４１が開弁される。また、利用側ユニット１３における電動膨張弁２６は開弁される。
【００３１】
この状態で、熱源側ユニット１１の圧縮機１８が起動されると、この圧縮機１８から吐出されたガス冷媒は、熱源側熱交換器２１にて凝縮され、電動膨張弁２２並びに氷蓄熱ユニット１２の冷媒配管１６、電動膨張弁３８及び第１電磁弁４１を通り、利用側ユニット１３の冷媒配管１５Ａ及び電動膨張弁２６を経て利用側熱交換器２５へ流入し、この利用側熱交換器２５により蒸発して室内を冷房した後、冷媒配管１５Ｂを通り、氷蓄熱ユニット１２の冷媒配管１７を経、四方弁２０及びアキュムレータ１９を経た後、圧縮機１８へ戻される。
【００３２】
本実施形態では、蒸発器として機能しているときの利用側熱交換器２５の冷媒蒸発温度を検出する蒸発温度検出手段として、温度センサ４７が、利用側熱交換器２５に設けられている。また、内気温度を検出する室内温度検出手段として、温度センサ４８が、後述する吸込グリル７３に設けられている。また、外気温度を検出する外気温度検出手段として、温度センサ４９が、熱源側ユニット１１の空気吸込口（不図示）近傍に設けられている。
【００３３】
次に、利用側ユニット１３の換気装置５０について説明する。
【００３４】
換気装置５０は、室外空気（外気）を室内に導く外気導入部５１と、室内空気（内気）を室外に排気する内気排出部５２とを備えている。また、換気装置５０は、全熱交換素子５３を備えている。この全熱交換素子５３は、蛇行状に折り曲げた折曲げ紙に平板状紙をのせ、その上に、上記折曲げ紙とはその折り曲げ方向を変えた折曲げ紙を重ねるようにして、これら折曲げ紙と平板状紙とを順次積層させて構成されている。この全熱交換素子５３は、外気導入部５１の外気導入風路５４及び内気排出部５２の内気排出風路５５に跨るように配置され、外気導入風路５４を通過する外気と内気排出風路５５を通過する内気との間で熱交換させる機能を備えている。
【００３５】
つまり、空気調和装置１０が冷房運転を行っている際に換気装置５０が換気運転を行う場合、全熱交換素子５３は、暖かい外気と冷えた室内の排気との間で熱交換して外気を冷やし、室内に給気している。また、空気調和装置１０が暖房運転を行っている際に換気装置５０が換気運転を行う場合、全熱交換素子５３は、冷たい外気と暖かい室内の排気との間で熱交換して外気を暖め、室内に給気している。これによって、換気運転により空調性が低下するのを抑制することができる。
【００３６】
外気導入部５１は、外気導入風路５４における全熱交換素子５３の外気入口側に給気ファン５６及び外気フィルタ５７を備えるとともに、外気導入風路５４における全熱交換素子５３の外気出口側に加湿器５８を備えている。この構成により、給気ダクト５９から導入された外気は、給気ファン５６を経た後、外気フィルタ５７を介して全熱交換素子５３に至り、ここで内気と熱交換した後、加湿器５８を経て吹出しルーバ６６（図３）により風向が調整されて室内に吹出される。この加湿器５８には加湿タンク５８Ａが接続され、この加湿タンク５８Ａの加湿水が加湿器５８に順次供給される。
【００３７】
また、内気排出部５２は、内気排出風路５５における全熱交換素子５３の内気出口側に風路変更用ダンパ６０及び排気ファン６１を備えている。この構成により、被調和室からの内気は、吸込みグリル６４（図３）を経て全熱交換素子５３に至り、ここで、外気と熱交換した後に、風路変更用ダンパ６０及び排気ファン６１を経て排気ダクト６２を介して室外に排気される。
【００３８】
風路変更用ダンパ６０は風路を遮断自在であり、風路変更用ダンパ６０が動作すると、全熱交換素子５３の内気出口側が封鎖され、内気は、全熱交換素子５３をバイパスし、普通換気風路６３を介して排気ファン６１に至り、排気ダクト６２を介して室外に排気される。
【００３９】
本実施形態では、空気調和装置１０の利用側ユニット１３が、図２に示すように、天井に吊り下げられる空気調和機本体１３Ａと、この空気調和機本体１３Ａの後部に連結されて一体化された外気調温用の換気装置本体５０Ａとを備えて構成されている。
【００４０】
空気調和機本体１３Ａの内部には、図３に示すように、上述した利用側熱交換器２５、利用側送風機２７、ドレンパン７１、さらには電装箱７２等が配置され、その吸込みグリル７３にはフィルタ７３Ａが配置されている。この空気調和機本体１３Ａには、利用側送風機２７の運転により内気を利用側熱交換器２５に導いて空気調和機本体１３Ａの吹出し口７４を介して室内に導く内気循環風路４６が形成されている。この空気調和機本体１３Ａが運転されると、吸込みグリル７３を介して内気が吸い込まれ、この内気は、利用側送風機２７を経て利用側熱交換器２５に至り、ここで冷媒と熱交換した後に、吹出し口７４を介して被調和室に吹出される。
【００４１】
換気装置本体５０Ａの内部には、上述した全熱交換素子５３、給気ファン５６、排気ファン６１等が配置され、その吸込みグリル６４にはフィルタ６４Ａが配置されている。
【００４２】
本実施形態では、各本体１３Ａ，５０Ａの吹出し口７４，６７が夫々独立して形成されている。各吹出し口７４，６７は、近接配置され、空気調和機本体１３Ａの吹出し口７４から吹出される空気と、換気装置本体５０Ａの吹出し口６７から吹出される空気とを、各吹出し口７４，６７の出口でミキシング自在に構成されている。
【００４３】
この空気調和機本体１３Ａの高さＨ１は、図３に示すように、換気装置本体５０Ａの高さＨ２よりも低く形成され、この低くなった空気調和機本体１３Ａの上部には、換気装置本体５０Ａの外気導入風路５４Ｂが形成されている。この外気導入風路５４Ｂは、全熱交換素子５３により熱交換した外気を換気装置本体５０Ａの吹出し口６７を介して室内に導く風路である。この外気導入風路５４Ｂの高さと空気調和機本体１３Ａの高さＨ１とを足した全高が、換気装置本体５０Ａの高さＨ２とほぼ等しくなるように形成されている。
【００４４】
外気導入風路５４Ｂの先端部には、当該外気導入風路５４Ｂの幅とほぼ同一幅の吹出し口６７を備え、この吹出し口６７の全幅は、図４に示すように、空気調和機本体１３Ａの吹出し口７４の全幅と等しくなるように形成されている。なお、利用側熱交換器２５は、図示は省略するが、空気調和機本体１３Ａの吹出し口７４の全幅と略等しくなるように形成されている。
【００４５】
また、図３に示すように、天井に吊り下げられる換気装置本体５０Ａは、その内部に全熱交換素子５３の収納部Ｒ１と、給気ファン５６及び排気ファン６１の収納部Ｒ２とを、換気装置本体５０Ａの奥行き方向に横並びに備えている。
【００４６】
給気ファン５６及び排気ファン６１は、図４に示すように、幅Ｗ及び長さＬ並びに高さＨ（図３）を有する発泡樹脂製の風路形成体２０２内にまとめて収納されており、この風路形成体２０２は、両端部を規制部材２０５で規制された状態で、長さＬ方向に間隔をあけて固定された、長さＷ２及び高さＨ３（図３）を有する複数の載置板２０３上に載置されている。これら複数の載置板２０３は、給気ファン５６及び排気ファン６１における吸気通路及び排気通路を区画する仕切り板を兼ねている。また、風路形成体２０２の横位置を規制するため、図３に示すように、全熱交換素子収納部Ｒ１には、幅Ｗ１及び長さＬ１（図４）並びに高さＨ２を有する発泡樹脂製のエレメントケーシング（図示せず）が嵌め込まれ、このケーシングに、全熱交換素子５３が保持されている。
【００４７】
全熱交換素子５３に対向する風路形成体２０２の面２０２Ａには、給気ファン５６の吹出し口に対応する開口部６０１と、この開口部６０１に連なり、給気ファン５６からの送風を全熱交換素子５３の全幅に導く導風部６０２とを備えて構成される。
【００４８】
本実施形態では、全熱交換素子５３が、風路形成体２０２に形成された開口部６０１及び導風部６０２に対向して配置されているため、給気ファン５６による送風のかなりの量が、開口部６０１を経た後に、導風部６０２に導かれ、そこを通じて全熱交換素子５３の全幅にほぼ均等に配分される。
【００４９】
ところで、冷房運転（通常冷房運転や解氷冷房運転）時に室内の熱負荷が低いと、利用側熱交換器２５における冷媒の蒸発温度が低くなってしまうことがある。このように、冷媒の蒸発温度が低くなると、利用側熱交換器２５に結露した結露水が凍結したり、氷蓄熱槽３６に氷が残ってしまうこととなる。
【００５０】
本実施形態では、図３に示すように、外気導入風路５４Ｂと内気循環風路４６との間にダンパ６８を設けている。このダンパ６８は、外気を利用側熱交換器２５に導くために設けられている。具体的には、空気調和機本体１３Ａの上部において利用側熱交換器２５に対向する箇所に開口を設け、この開口に空気調和機本体１３Ａの外側に開くようにダンパ６８が設けられている。つまり、ダンパ６８は、利用側熱交換器２５の近傍に設けられている。このダンパ６８が、図３に示すように閉じている状態のとき、ダンパ６８が開口を塞いでおり、全熱交換素子５３で熱交換した外気は、吹出し口６７を経て室内に吹き出される。また、図３の破線で示すように、ダンパ６８が開いている状態のとき、このダンパ６８により換気装置本体５０Ａの吹出し口６７側が閉塞され、全熱交換素子５３で熱交換した外気は、ダンパ６８により案内されて空気調和機本体１３Ａの開口を介して空気調和機本体１３Ａの内部の利用側熱交換器２５に導かれ、吹出し口７４を経て室内に吹出される。
【００５１】
このダンパ６８は、図４に示すように、外気導入風路５４Ｂの幅とほぼ同一幅に形成されている。つまり、ダンパ６８は、利用側熱交換器２５の幅方向に亘って延びるように形成されている。これによって、ダンパ６８を開いた場合には、吹出し口６７が略全域にわたって閉塞され、全熱交換素子５３で熱交換したほとんどの外気は、利用側熱交換器２５に導かれる。つまり、ダンパ６８を開操作するだけで、風路を簡単に変更することができる。さらに、利用側熱交換器２５の幅方向に亘って略均一に外気を導くことができ、より効果的に利用側熱交換器２５における冷媒の蒸発温度を上昇させることができる。
【００５２】
このダンパ６８の開閉制御は、制御装置４５により行われる。以下、制御装置４５によるダンパ６８の制御動作について、図５に示す制御フローチャートを参照しながら説明する。
【００５３】
まず、制御装置４５は、空気調和装置１０が冷房運転（例えば、通常冷房運転や解氷冷房運転）に設定されているか否かを判断する（ステップＳ１）。
【００５４】
冷房運転に設定されている場合（ステップＳ１；Ｙｅｓ）、制御装置４５は、外気温度が吸込温度（内気温度）を上回っているか否かを判断する（ステップＳ２）。つまり、制御装置４５は、温度センサ４９により検出した温度が、温度センサ４８により検出した温度を上回っているか否かを判断する。
【００５５】
次に、外気温度が吸込温度（内気温度）を上回っている場合（ステップＳ２；Ｙｅｓ）、制御装置４５は、利用側熱交換器２５における冷媒の蒸発温度が予め定めた第１の所定温度を下回るか否かを判断する（ステップＳ３）。ここで、第１の所定温度は、利用側熱交換器２５の結露水が凍結するような温度に設定されている。
【００５６】
利用側熱交換器２５における冷媒の蒸発温度が予め定めた第１の所定温度を下回る場合（ステップＳ３；Ｙｅｓ）、制御装置４５は、ダンパ６８を開く制御を行う（ステップＳ４）。このようにダンパ６８が開くことによって、全熱交換素子５３で熱交換した外気が、利用側熱交換器２５に導かれる。
【００５７】
ここで、外気温度は、内気温度よりも高いので、利用側熱交換器２５には、室温よりも高い温度の外気が導かれることとなる。従って、利用側熱交換器２５の冷媒蒸発温度が高められることとなる。
【００５８】
次に、制御装置４５は、利用側熱交換器２５の蒸発温度が、利用側熱交換器２５が第２の所定温度に達したか否かを判断し（ステップＳ５）、蒸発温度が第２の所定温度に達していない場合は（ステップＳ５；Ｎｏ）、蒸発温度が第２の所定温度に達するまでダンパ６８を開いた状態を保つ。ここで、第２の所定温度は、第１の所定温度よりも高くに設定されている。つまり、第１の所定温度付近でダンパ６８を頻繁に開閉する動作を回避するためである。なお、この第２の所定温度は、空気調和装置１０の運転が安定に動作する範囲内に設定されていることはいうまでもない。
【００５９】
利用側熱交換器２５の蒸発温度が第２の所定温度に達した場合（ステップＳ５；Ｙｅｓ）、制御装置４５は、ダンパ６８を閉じる（ステップＳ６）。なお、空気調和装置１０が冷房運転以外の運転（例えば、暖房運転）に設定されている場合（ステップＳ１；Ｎｏ）や、外気温度が吸込温度（内気温度）を下回る場合（ステップＳ２；Ｎｏ）は、ダンパ６８は閉じた状態である。
【００６０】
ここで、外気温度が吸込温度（内気温度）を下回り、且つ、利用側熱交換器２５における冷媒の蒸発温度が予め定めた第１の所定温度を下回る場合（つまり、利用側熱交換器２５が凍結しそうな場合）は、圧縮機１８を停止させ、冷媒回路における各種弁２２、２６、３８、４１、４２、４３等を開き、冷媒回路内を均圧させるとともに、利用側送風機２７を運転させる通常の凍結防止運転を行う。そして、圧縮機１８を停止させてから所定時間（例えば、１０分間）経過後、利用側熱交換器２５の温度を検出して、この温度が第２の所定温度以上であれば、圧縮機１８を起動させて冷房運転を行う。
【００６１】
以上、本実施形態によれば、冷房運転時に利用側熱交換器２５における冷媒の蒸発温度が予め定めた第１の所定温度を下回る場合、ダンパ６８を開くこととしたので、利用側熱交換器２５に全熱交換素子５３を介した外気が導かれ、上述の通常の凍結防止運転を行わずに、単にダンパ６８を開くだけで利用側熱交換器２５の凍結を回避することができる。
【００６２】
また、圧縮機１８の発停を繰り返したり各種弁２２、２６、３８、４１、４２、４３等を操作する回数が減少するので、圧縮機１８や各種弁２２、２６、３８、４１、４２、４３等の耐久性が向上する。更に、利用側熱交換器２５の凍結を防止するために、圧縮機１８を停止させる必要がないため、冷房運転を停止させることなく、空気調和装置１０を安定して運転することができる。
【００６３】
また、内気よりも暖かい外気が利用側熱交換器２５に導かれることにより、利用側熱交換器２５において冷媒の蒸発温度が高まり、冷媒を十分に蒸発させることができるので、圧縮機１８に液バックするのを抑制することができ、空気調和装置１０を安定して運転することができる。
【００６４】
ここで、冷房運転の内、解氷冷房運転時において、例えば、所定の時間内で氷蓄熱槽３６内の氷を全て解氷させる解氷制御を実施するときに、ダンパ６８を開き、利用側熱交換器２５に外気を導くようにしてもよい。つまり、氷蓄熱槽３６内に氷が残った状態で製氷運転を行ってしまうと、蓄熱コイル３５間に氷のブリッジが生じ、蓄熱コイル３５が変形してしまう恐れがあるためである。このように、氷蓄熱槽３６内に氷が残るのは、室内の熱負荷が低く、利用側熱交換器２５における冷媒の蒸発温度が低い場合である。
【００６５】
解氷冷房運転において解氷制御を行うとき、制御装置４５は、図５と同様にダンパ６８を制御する。ここで、第１の所定温度は、所定の時間で氷蓄熱槽３６の氷を解氷するのに必要な温度に設定してもよい。つまり、第１の所定温度は、通常冷房運転時及び解氷冷房運転のそれぞれに対応した値に設定される。これら値は、例えば不図示のＲＯＭ等の記憶装置に予め記憶されている（記憶手段）。
【００６６】
このように、ダンパ６８を開くことにより、利用側熱交換器２５に外気が導かれて利用側熱交換器２５の蒸発温度が高められるので、蓄熱コイル３５に流れる冷媒温度が高まり、氷蓄熱槽３６内の氷の解氷速度が速まることとなる。従って、氷蓄熱槽３６内の氷を解氷させる時間を短縮させることができ、氷のブリッジングを防止することができる。従って、蓄熱コイル３５の氷による変形を抑制することができ、空気調和装置１０を安定して運転することができる。
【００６７】
以上、一実施形態に基づいて本発明を説明したが、本発明は、これに限定されるものではない。
【００６８】
例えば、上記実施形態では、氷蓄熱ユニット１２を備える場合について説明したが、これに限るものではなく、氷蓄熱ユニット１２を備えない空気調和装置においても適用することができる。
【図面の簡単な説明】
【００６９】
【図１】本発明に係る空気調和装置の一実施形態が適用された氷蓄熱ユニットを備えた空気調和装置を示す管路図である。
【図２】空気調和装置の利用側ユニットを下から見た斜視図である。
【図３】空気調和装置の利用側ユニットを示す断面図である。
【図４】空気調和装置の利用側ユニットの平面図である。
【図５】制御装置によるダンパの制御を示す制御フローチャートである。
【符号の説明】
【００７０】
１０  空気調和装置
１３Ａ  空気調和機本体
１８  圧縮機
２１  熱源側熱交換器
２５  利用側熱交換器
３５  蓄熱コイル
３６  氷蓄熱槽
４５  制御装置（制御手段）
４６  内気循環風路
５０Ａ  換気装置本体
５３  全熱交換素子
５４Ｂ  外気導入風路
６７  吹出し口
６８  ダンパ
７４  吹出し口
【図１】
2006002953.tif 000003
【図２】
2006002953.tif 000004
【図３】
2006002953.tif 000005
【図４】
2006002953.tif 000006
【図５】
2006002953.tif 000007